(57)【要約】【課題】時間経過の影響を考慮して、追跡された対象物に対応する識別情報を推定できる識別子推定装置を提供する。【解決手段】識別子推定装置１は、仮識別子が各々の本識別子に対応する確率を示す確率分布を記憶する確率分布メモリ（確率分布情報記憶手段）１１と、識別装置５の識別対象を選定する識別対象選定手段１４と、識別装置５の識別結果に基づいて、この確率分布を補正する確率分布情報補正手段１６と、各々の本識別子の対象物の出現確率を示す事前確率分布を予め記憶する事前確率分布メモリ（出現確率分布情報記憶手段）１２と、時間経過に応じた比率で事前確率分布と確率分布メモリ１１の確率分布とを混合する経時確率分布混合部（経時確率分布混合手段）１３３ｂと、確率分布メモリ１１の確率分布に基づいて各々の仮識別子に対応する本識別子を推定する本識別子推定手段１７とを備えることを特徴とする。【選択図】図１
2008257526.tif 000002
【特許請求の範囲】
【請求項１】
移動する複数の対象物のそれぞれを追跡して、追跡された各々の前記対象物に、当該対象物同士を区別するための仮識別情報を設定して、各々の前記対象物の位置を解析する追跡装置から各々の前記対象物の位置を示す位置情報と前記仮識別情報とを入力するとともに、前記位置情報によって示される少なくともひとつの前記対象物を識別する識別装置から前記対象物を識別するために当該対象物に対して予め設定された本識別情報を入力して、各々の前記仮識別情報に対応する前記本識別情報を推定する識別情報推定装置であって、
前記仮識別情報の設定された前記対象物が、それぞれの前記本識別情報に対応する前記対象物である確率を示す確率分布情報を、すべての前記仮識別情報について記憶する確率分布情報記憶手段と、
前記識別装置によって識別される前記対象物を選定して、前記追跡装置から入力された当該対象物の前記位置情報を前記識別装置に出力する識別対象選定手段と、
前記識別装置から入力された本識別情報と、前記識別対象選定手段によって選定された対象物の前記仮識別情報とに基づいて、当該仮識別情報の設定された前記対象物が各々の本識別情報に対応するとみなせる度合いを示す評価値を算出し、当該評価値に基づいて、前記確率分布情報記憶手段に記憶された当該仮識別情報に対応する前記確率分布情報の各々の本識別情報に対応する前記確率を補正して、前記確率分布情報記憶手段に記憶する確率分布情報補正手段と、
各々の本識別情報に対応する前記対象物が出現する確率の確率分布を示す出現確率分布情報を予め記憶する出現確率分布情報記憶手段と、
時間経過に応じた比率で、前記出現確率分布情報記憶手段に記憶された出現確率分布情報によって示される確率分布と、前記確率分布情報記憶手段に記憶された各々の前記確率分布情報によって示される確率分布とを混合して、混合された確率分布を示す確率分布情報を前記確率分布情報記憶手段に記憶する経時確率分布混合手段と、
前記確率分布情報記憶手段に記憶された確率分布情報に基づいて、各々の前記仮識別情報に対応する前記本識別情報を推定する本識別情報推定手段と、
を備えることを特徴とする識別情報推定装置。
【請求項２】
前記識別対象選定手段が、前記追跡装置から入力された前記位置情報に基づいて、前記識別装置によって直前に識別された前記対象物から他の前記対象物までの距離を算出して、当該距離が相対的に小さいものを優先して、前記識別装置によって識別される前記対象物を選定することを特徴とする請求項１に記載の識別情報推定装置。
【請求項３】
前記識別対象選定手段が、前記確率分布情報記憶手段に記憶された各々の前記確率分布情報によって示される確率分布における確率の偏りの度合いを算出し、この偏りの度合いが相対的に小さいものを優先して、前記識別装置によって識別される前記対象物を選定することを特徴とする請求項１又は請求項２に記載の識別情報推定装置。
【請求項４】
前記確率分布情報補正手段が、前記識別装置から前記本識別情報とともに、当該識別装置における当該本識別情報に対する識別の信頼度を示す信頼度情報を入力して、当該信頼度情報に基づいて前記評価値を算出して、前記確率分布情報記憶手段に記憶された前記確率分布情報を補正することを特徴とする請求項１から請求項３のいずれか一項に記載の識別情報推定装置。
【請求項５】
前記追跡装置から入力された位置情報に基づいて、２つの前記対象物間の距離を算出し、この距離が小さいほど高い比率で、前記確率分布情報記憶手段に記憶された当該２つの対象物の前記確率分布情報によって示される確率分布を混合して、混合された確率分布を示す確率分布情報を前記確率分布情報記憶手段に記憶する近接確率分布混合手段を更に備えることを特徴とする請求項１から請求項４のいずれか一項に記載の識別情報推定装置。
【請求項６】
移動する複数の対象物のそれぞれを追跡して、追跡された各々の前記対象物に、当該対象物同士を区別するための仮識別情報を設定して、各々の前記対象物の位置を解析する追跡装置から各々の前記対象物の位置を示す位置情報と前記仮識別情報とを入力するとともに、前記位置情報によって示される少なくともひとつの前記対象物を識別する識別装置から前記対象物を識別するために当該対象物に対して予め設定された本識別情報を入力し、前記仮識別情報の設定された前記対象物が、それぞれの前記本識別情報に対応する前記対象物である確率を示す確率分布情報を、すべての前記仮識別情報について記憶する確率分布情報記憶装置から当該確率分布情報を参照して、各々の前記仮識別情報に対応する前記本識別情報を推定するために、コンピュータを、
前記識別装置によって識別される前記対象物を選定して、前記追跡装置から入力された当該対象物の前記位置情報を前記識別装置に出力する識別対象選定手段、
前記識別装置から入力された本識別情報と、前記識別対象選定手段によって選定された対象物の前記仮識別情報とに基づいて、当該仮識別情報の設定された前記対象物が各々の本識別情報に対応するとみなせる度合いを示す評価値を算出し、当該評価値に基づいて、前記確率分布情報記憶装置に記憶された当該仮識別情報に対応する前記確率分布情報の各々の本識別情報に対応する前記確率を補正して、前記確率分布情報記憶装置に記憶する確率分布情報補正手段、
時間経過に応じた比率で、出現確率分布情報記憶装置に予め記憶された、各々の本識別情報に対応する前記対象物が出現する確率の確率分布を示す出現確率分布情報によって示される確率分布と、前記確率分布情報記憶手段に記憶された各々の前記確率分布情報によって示される確率分布とを混合して、混合された確率分布を示す確率分布情報を前記確率分布情報記憶手段に記憶する経時確率分布混合手段、
前記確率分布情報記憶装置に記憶された確率分布情報に基づいて、各々の前記仮識別情報に対応する前記本識別情報を推定する本識別情報推定手段、
として機能させることを特徴とする識別情報推定プログラム。
【発明の詳細な説明】
【技術分野】
【０００１】
本発明は、移動する対象物を追跡して識別する技術に係り、特に、追跡装置によって追跡された複数の移動する対象物を識別する識別情報推定装置及び識別情報推定プログラムに関する。
【背景技術】
【０００２】
従来、対象物を撮像した映像情報に基づいて、移動する対象体を追跡・識別する手法として、追跡装置による追跡結果と、識別装置による識別結果とを組み合わせるものがある（特許文献１参照）。この手法は、追跡結果と識別結果との統合において、各対象物の追跡結果の軌道上において識別結果の頻度の統計を行うことで各対象物に識別子を設定するものである。
【０００３】
また、複数のセンサ情報を統合し、追跡と識別とを行うものがある（特許文献２参照）。この手法は、複数の手法によって識別し、２以上の手法によって同一の識別結果が下された場合に、その識別結果を採用するものである。
【特許文献１】特開２００４−１１０４４８号公報（段落番号０００６〜００７７）
【特許文献２】特開平７−２８７７８１号公報（段落番号０００５〜００２６）
【発明の開示】
【発明が解決しようとする課題】
【０００４】
しかしながら、特許文献１に記載の手法では、対象物同士の接近に起因する追跡結果の誤りを修正することは可能であるが、対象物間の位置関係や時間経過の影響を考慮していないため、確率・統計的な効率性に改善の余地がある。また、特許文献２に記載の手法では、識別結果や時間遷移に内在する確率・統計的な曖昧さの取り扱いができなかった。
【０００５】
本発明は、前記従来技術の課題を解決するために成されたもので、対象物間の位置関係や時間経過の影響を考慮して、追跡された対象物に対応する識別情報を確率・統計的に推定することができる識別情報推定装置及び識別情報推定プログラムを提供することを目的とする。
【課題を解決するための手段】
【０００６】
前記課題を解決するため、請求項１に記載の識別情報推定装置は、移動する複数の対象物のそれぞれを追跡して、追跡された各々の前記対象物に、当該対象物同士を区別するための仮識別情報を設定して、各々の前記対象物の位置を解析する追跡装置から各々の前記対象物の位置を示す位置情報と前記仮識別情報とを入力するとともに、前記位置情報によって示される少なくともひとつの前記対象物を識別する識別装置から前記対象物を識別するために当該対象物に対して予め設定された本識別情報を入力して、各々の前記仮識別情報に対応する前記本識別情報を推定する識別情報推定装置であって、確率分布情報記憶手段と、識別対象選定手段と、確率分布情報補正手段と、出現確率分布情報記憶手段と、経時確率分布混合手段と、本識別情報推定手段とを備える構成とした。
【０００７】
かかる構成によれば、識別情報推定装置は、確率分布情報記憶手段に、仮識別情報の設定された対象物が、それぞれの本識別情報に対応する前記対象物である確率を示す確率分布情報を、すべての仮識別情報について記憶する。また、識別情報推定装置は、識別対象選定手段によって、識別装置によって識別される対象物を選定して、追跡装置から入力された当該対象物の位置情報を識別装置に出力する。なお、この識別対象となる対象物の選定は、例えば、仮識別情報に対して予め決められた順番で、順次選定することとしてもよいし、ランダムに選定することとしてもよいし、仮識別情報に対して対応付けられた情報、例えば、仮識別情報に対応付けられた位置情報や確率分布情報に基づいて選定することとしてもよい。
【０００８】
更に、識別情報推定装置は、確率分布情報補正手段によって、識別装置から入力された本識別情報と、識別対象選定手段によって選定された対象物の仮識別情報とに基づいて、当該仮識別情報の設定された対象物が各々の本識別情報に対応するとみなせる度合いを示す評価値を算出し、当該評価値に基づいて、前記確率分布情報記憶手段に記憶された当該仮識別情報に対応する前記確率分布情報の各々の本識別情報に対応する確率を補正して、確率分布情報記憶手段に記憶する。また、識別情報推定装置は、出現確率分布情報記憶手段に、各々の本識別情報に対応する対象物が出現する確率の確率分布を示す出現確率分布情報を予め記憶し、経時確率分布混合手段によって、時間経過に応じた比率で、出現確率分布情報記憶手段に記憶された出現確率分布情報によって示される確率分布と、確率分布情報記憶手段に記憶された各々の確率分布情報によって示される確率分布とを混合して、混合された確率分布を示す確率分布情報を確率分布情報記憶手段に記憶する。更に、識別情報推定装置は、本識別情報推定手段によって、確率分布情報記憶手段に記憶された確率分布情報に基づいて、各々の仮識別情報に対応する本識別情報を推定する。
【０００９】
これによって、識別情報推定装置は、追跡装置から入力された仮識別情報ごとの確率分布情報によって示される確率分布を、識別装置の識別結果に基づいて補正するとともに、時間経過に応じた比率で、出現確率分布情報によって示される確率分布と、各々の確率分布情報によって示される確率分布とを混合して、得られた確率分布に基づいて同一の対象物に設定された仮識別情報と本識別情報とを推定することができる。
【００１０】
また、請求項２に記載の識別情報推定装置は、請求項１に記載の識別情報推定装置において、前記識別対象選定手段が、前記追跡装置から入力された前記位置情報に基づいて、前記識別装置によって直前に識別された前記対象物から他の前記対象物までの距離を算出して、当該距離が相対的に小さいものを優先して、前記識別装置によって識別される前記対象物を選定する構成とした。
【００１１】
これによって、識別情報推定装置は、識別装置による直前の識別対象の対象物からの距離が近いものを優先して、識別装置による次の識別対象となる対象物を選定することができる。
【００１２】
更に、請求項３に記載の識別情報推定装置は、請求項１又は請求項２に記載の識別情報推定装置において、前記識別対象選定手段が、前記確率分布情報記憶手段に記憶された各々の前記確率分布情報によって示される確率分布における確率の偏りの度合いを算出し、この偏りの度合いが相対的に小さいものを優先して、前記識別装置によって識別される前記対象物を選定する構成とした。
【００１３】
これによって、識別情報推定装置は、確率分布情報によって示される確率分布における確率の偏りの度合いに小さいものを優先して、識別装置の識別対象となる対象物を選定することができる。
【００１４】
また、請求項４に記載の識別情報推定装置は、請求項１から請求項３のいずれか一項に記載の識別情報推定装置において、前記確率分布情報補正手段が、前記識別装置から前記本識別情報とともに、当該識別装置における当該本識別情報に対する識別の信頼度を示す信頼度情報を入力して、当該信頼度情報に基づいて前記評価値を算出して、前記確率分布情報記憶手段に記憶された前記確率分布情報を補正する構成とした。
【００１５】
これによって、識別情報推定装置は、仮識別情報ごとの確率分布情報によって示される確率分布を、識別装置の識別結果とその信頼度とに基づいて補正することができる。
【００１６】
更に、請求項５に記載の識別情報推定装置は、請求項１から請求項４のいずれか一項に記載の識別情報推定装置において、前記追跡装置から入力された位置情報に基づいて、２つの前記対象物間の距離を算出し、この距離が小さいほど高い比率で、前記確率分布情報記憶手段に記憶された当該２つの対象物の前記確率分布情報によって示される確率分布を混合して、混合された確率分布を示す確率分布情報を前記確率分布情報記憶手段に記憶する近接確率分布混合手段を更に備える構成とした。
【００１７】
これによって、識別情報推定装置は、対象物間の距離の近い対象物ほど大きな比率で互いの確率分布を混合することができる。
【００１８】
また、請求項６に記載の識別情報推定プログラムは、移動する複数の対象物のそれぞれを追跡して、追跡された各々の前記対象物に、当該対象物同士を区別するための仮識別情報を設定して、各々の前記対象物の位置を解析する追跡装置から各々の前記対象物の位置を示す位置情報と前記仮識別情報とを入力するとともに、前記位置情報によって示される少なくともひとつの前記対象物を識別する識別装置から前記対象物を識別するために当該対象物に対して予め設定された本識別情報を入力し、前記仮識別情報の設定された前記対象物が、それぞれの前記本識別情報に対応する前記対象物である確率を示す確率分布情報を、すべての前記仮識別情報について記憶する確率分布情報記憶装置から当該確率分布情報を参照して、各々の前記仮識別情報に対応する前記本識別情報を推定するために、コンピュータを、識別対象選定手段、確率分布情報補正手段、経時確率分布混合手段、本識別情報推定手段として機能させることとした。
【００１９】
かかる構成によれば、識別情報推定プログラムは、識別対象選定手段によって、識別装置によって識別される対象物を選定して、追跡装置から入力された当該対象物の位置情報を識別装置に出力し、確率分布情報補正手段によって、識別装置から入力された本識別情報と、識別対象選定手段によって選定された対象物の仮識別情報とに基づいて、当該仮識別情報の設定された前記対象物が各々の本識別情報に対応するとみなせる度合いを示す評価値を算出し、当該評価値に基づいて、前記確率分布情報記憶装置に記憶された当該仮識別情報に対応する前記確率分布情報の各々の本識別情報に対応する前記確率を補正して、確率分布情報記憶装置に記憶する。また、識別情報推定プログラムは、経時確率分布混合手段によって、時間経過に応じた比率で、出現確率分布情報記憶装置に予め記憶された、各々の本識別情報に対応する対象物が出現する確率の確率分布を示す出現確率分布情報によって示される確率分布と、確率分布情報記憶手段に記憶された各々の確率分布情報によって示される確率分布とを混合して、混合された確率分布を示す確率分布情報を確率分布情報記憶手段に記憶する。更に、識別情報推定プログラムは、本識別情報推定手段によって、確率分布情報記憶装置に記憶された確率分布情報に基づいて、各々の仮識別情報に対応する本識別情報を推定する。
【００２０】
これによって、識別情報推定プログラムは、追跡装置から入力された仮識別情報ごとの確率分布情報によって示される確率分布を、識別装置の識別結果に基づいて補正するとともに、時間経過に応じた比率で、出現確率分布情報によって示される確率分布と、各々の確率分布情報によって示される確率分布とを混合して、得られた確率分布に基づいて同一の対象物に設定された仮識別情報と本識別情報とを推定することができる。
【発明の効果】
【００２１】
本発明に係る識別情報推定装置及び識別情報推定プログラムでは、以下のような優れた効果を奏する。
【００２２】
請求項１又は請求項６に記載の発明によれば、識別結果に基づいて確率分布を補正するとともに、経過時間が大きいほど、出現確率を示す確率分布を高い比率で、各々の確率分布情報によって示される確率分布に対して混合することができる。そのため、過去の識別結果や確率分布情報の混合による影響を徐々に少なくする忘却効果を、確率分布に反映させることができる。これによって、各々の仮識別情報の設定された対象物に対応する本識別情報が時間的に変化しても、対象物に対応する本識別情報を高い精度で推定することができる。
【００２３】
請求項２に記載の発明によれば、識別装置によって直前に識別された対象物からの距離の近い対象物を優先して次の識別対象として選定することができる。そのため、識別装置が識別対象を切り替える際の視点の移動量を小さくすることができ、特に、予め設置位置が固定されていて、識別対象を検出する検出器の向きを当該識別対象の方向に変更する首振り機構を有するような識別装置においては、識別対象の切り替えにかかる動作の所要時間を短縮することが可能となる。
【００２４】
請求項３に記載の発明によれば、確率分布情報によって示される確率分布における確率の偏りの度合いの小さい対象物、つまり、確率分布からはどの本識別情報に対応するかが明確でない仮識別情報の対象物を優先して識別装置の識別対象として選定することができる。これによって、追跡された対象物に対応する本識別情報の推定の精度を向上させることができる。
【００２５】
請求項４に記載の発明によれば、確率分布を、識別装置の識別結果とその信頼度とに基づいて補正することで、識別結果に内在する曖昧さを確率分布に反映させることができる。これによって、追跡された対象物に対応する本識別情報の推定の精度を向上させることができる。
【００２６】
請求項５に記載の発明によれば、近接する対象物の確率分布をより高い比率で混合することで、対象物同士が接近したために追跡装置によって取り違えて追跡されることも考慮した確率分布とするができる。これによって、追跡された対象物に対応する本識別情報を高い精度で推定することができる。
【発明を実施するための最良の形態】
【００２７】
以下、本発明の実施の形態について図面を参照して説明する。
［識別情報推定装置の構成］
まず、図１を参照して、本発明における識別情報推定装置の構成について説明する。図１は、本発明における識別情報推定装置の構成を模式的に示した構成図である。
【００２８】
識別情報推定装置１は、追跡装置３によって追跡された複数の移動する移動対象物（対象物）の位置の情報である位置情報及び当該位置情報に対応付けられた仮識別子（仮識別情報）と、識別装置５によって識別された移動対象物の本識別子（本識別情報）と基づいて、同一の移動対象物に設定された仮識別子と本識別子との対を推定するものである。なお、識別情報推定装置１には、外部に追跡装置３と、識別装置５とが接続されている。
【００２９】
追跡装置３は、移動する複数の移動対象物を追跡するためのセンサデータ（以下、追跡用センサデータ）に基づいて、当該移動対象物を検出し、各々の位置を追跡するとともに、追跡された移動対象物の各々に仮識別子を設定し、位置情報と対応付けるものである。この位置情報と仮識別子とは識別情報推定装置１に出力される。
【００３０】
なお、仮識別子とは、各々の移動対象物を互いに区別するために割り当てるデータであり、例えば、整数値や自然数値を適当な順序で割り当てたものである。なお、この仮識別子は必ずしも移動対象物と１対１かつ恒常的に対応付けられる必要はなく、ある期間以上一貫性の保てるものであれば構わない。このある期間とは、例えば、外部に接続される識別装置５が、当該移動対象物を識別する時間間隔が目安となる。この時間間隔は、識別装置５の識別方法によっても異なるが、例えば、１秒乃至１０分程度の時間間隔である。また、追跡用センサデータには、例えば、固定カメラ、有人カメラ、ロボットカメラなどにより撮影された動画像を用いることとしてもよいし、レーザ距離計やドップラレーダ、サーモグラフィなど、追跡装置３に応じたセンサデータを用いることができる。また、これらのセンサを複合的に利用しても構わない。
【００３１】
ここで、追跡装置３は、仮識別子ｉｄに対応付けた位置情報として、例えば、仮識別子ｉｄの移動対象物の位置ｘ（ｉｄ）を用いることができる。更に、例えば、追跡装置３には、特開２００２−３５８５２６号公報に記載されるような装置を用いることができる。
【００３２】
識別装置５は、識別情報推定装置１から入力された位置情報によって指定される場所に存在する移動対象物を識別用センサデータに基づいて識別するものである。ここでの識別結果である本識別子は識別情報推定装置１に出力される。なお、本識別子とは、移動対象物を一意に指し示すためのデータであり、例えば、整数値、自然数値、文字列などの識別子により表現される。本識別子は、各々の移動対象物に対し、固有の値をとるものとする。また、識別用センサデータには、例えば、固定カメラ、有人カメラ、ロボットカメラなどにより撮影された動画像を用いることとしてもよいし、ＲＦＩＤ（Radio Frequency IDentification）タグの受信機や、ビーコンの受信機など、識別装置５に応じたセンサデータを用いることができる。また、これらのセンサを複合的に利用しても構わない。識別装置５としては、例えば、移動対象物が人間である場合には顔画像認識装置（例えば、特開２００５−１４９３０２号公報や特開２００５−２０８８５０号公報参照）や生体認証装置、移動対象物がスポーツ選手である場合には背番号認識装置を用いることとしてもよいし、移動対象物にＲＦＩＤタグを予め付与することでＲＦＩＤの検出器を用いることもできるし、ビーコンの受信機などの装置を使用することとしてもよい。
【００３３】
更にここでは、識別装置５は、本識別子の出力に加えて、その識別結果の信頼度を数値として出力することとした。更に、識別装置５は、ひとつの移動対象物に対して複数の本識別子の候補を出力することとしても構わない。このとき、識別装置５は、識別結果の信頼度を、単一の数値にて出力する構成としてもよいし、本識別子の候補ごとに信頼度を出力する構成としてもよいし、信頼度をまったく出力しない構成としてもよい。
【００３４】
以下、識別情報推定装置１の構成について詳細に説明する。識別情報推定装置１は、確率分布メモリ１１と、事前確率分布メモリ１２と、確率分布予測手段１３と、識別対象選定手段１４と、識別対象仮識別子メモリ１５と、確率分布更新手段１６と、本識別子推定手段１７とを備える。
【００３５】
確率分布メモリ（確率分布情報記憶手段、確率分布情報記憶装置）１１は、Ｎ個（Ｎは０以上の整数）の仮識別子ｉｄのそれぞれが設定された移動対象物が、それぞれの本識別子ＩＤの移動対象物である確率分布を示すＮ個の本識別子確率分布（確率分布情報）Ｐ（ＩＤ｜ｉｄ＝１）〜Ｐ（ＩＤ｜ｉｄ＝Ｎ）（以下、本識別子確率分布群Ｐ（ＩＤ｜ｉｄ）とする）を記憶するもので、半導体メモリ等の一般的な記憶手段である。ここで記憶された本識別子確率分布群Ｐ（ＩＤ｜ｉｄ）は、確率分布予測手段１３及び確率分布更新手段１６によって参照され、かつ、更新される。また、本識別子確率分布群Ｐ（ＩＤ｜ｉｄ）は、本識別子推定手段１７によって同一の移動対象物に設定された仮識別子と本識別子との対を推定する際に、参照されて用いられる。
【００３６】
なお、ここでは、確率分布メモリ１１が、仮識別子ｉｄごとの本識別子確率分布Ｐ（ＩＤ｜ｉｄ＝１）〜Ｐ（ＩＤ｜ｉｄ＝Ｎ）を記憶することとしたが、特に仮識別子ごとに区別する必要がない場合には、本識別子確率分布Ｐ（ＩＤ｜ｉｄ＝１）〜Ｐ（ＩＤ｜ｉｄ＝Ｎ）をひとつにまとめた情報として本識別子確率分布（確率分布情報、図示せず）を記憶することとしてもよい。
【００３７】
更に、本識別子確率分布の個数Ｎは、所定値としても構わないし、時々刻々変化するものとしてもよい。この個数Ｎを所定値とする場合には、個数Ｎは、例えば、追跡装置３によって割り当てられ得る仮識別子の最大値であってもよい。また、個数Ｎは、例えば、一定時間内に現れ得る移動対象物の総数の最大値を見積もった値であってもよい。このとき、例えば、本発明の識別情報推定装置１、追跡装置３及び識別装置５を、サッカーコート内に存在する最大２２名の選手を識別する用途に適用する場合には、先発選手に加え、先発選手以外の選手や審判、ボールボーイ等が移動対象物となる可能性を鑑みて、個数Ｎをこれらの移動対象物の候補の総数より多い数、例えばＮ＝４０とすることができる。
【００３８】
一方、個数Ｎを時々刻々変化させるものとする場合には、例えば、追跡装置３が現在追跡している移動対象物の数、つまり、追跡装置３から入力される仮識別子の数に基づいて、個数Ｎの値を決定することができる。この場合、典型的には、例えば、追跡装置３が現在追跡している移動対象物の数そのものをＮの値とすることができる。あるいは、過去のある時点から現在までの期間に存在した移動対象物の個数に基づいて、Ｎの値を決定することとしてもよい。この場合、例えば、現在までの一定期間に存在した移動対象物の総数を、Ｎの値とすることができる。なお、個数Ｎが０のときは、一時的に移動対象物が存在しない場合、個数Ｎが１のときは、移動対象物が一時的に単独になる場合に対応する。
【００３９】
ここで、図２を参照（適宜図１参照）して、本識別子確率分布群Ｐ（ＩＤ｜ｉｄ）の例について説明する。図２は、確率分布メモリに記憶される本識別子確率分布の例を説明するための説明図、（ａ）は、確率分布メモリに記憶される本識別子確率分布の例を示す表、（ｂ）〜（ｅ）は、それぞれ仮識別子が１〜４のときの（ａ）の本識別子確率分布を示すグラフである。
【００４０】
ここでは、確率分布メモリ１１は、図２に示すように、仮識別子ｉｄ＝１〜４（Ｎ＝４）に対してそれぞれ本識別子確率分布Ｐ（ＩＤ｜ｉｄ＝１）〜Ｐ（ＩＤ｜ｉｄ＝４）を記憶することとした。更に、ここでは、本識別子をＩＤ＝１〜６とした。例えば、仮識別子ｉｄ＝２に対する本識別子確率分布Ｐ（ＩＤ｜ｉｄ＝２）に着目すると、本識別子ＩＤ＝４のときに本識別子確率分布Ｐ（ＩＤ｜ｉｄ＝２）が最大値０．７５をとっている。このことは、仮識別子ｉｄ＝２の設定された移動対象物は本識別子ＩＤ＝４である確率が最も高く、その確率は０．７５であるということを表している。
【００４１】
図１に戻って説明を続ける。事前確率分布メモリ（出現確率分布情報記憶手段、出現確率分布情報記憶装置）１２は、各々の本識別子ＩＤによって示される移動対象物の出現確率を予め想定した事前確率の分布である事前確率分布（出現確率分布情報）を記憶するもので、半導体メモリ等の一般的な記憶手段である。ここで記憶された事前確率分布は、確率分布混合部１３３によって参照されて用いられる。
【００４２】
ここで、図３を参照（適宜図１参照）して、事前確率分布Ｐ（ＩＤ）の例について説明する。図３は、事前確率分布メモリに記憶される事前確率分布の例を説明するための説明図、（ａ）は、事前確率分布メモリに記憶される事前確率分布の例を示す表、（ｂ）は、（ａ）の事前確率分布Ｐ（ＩＤ）を示すグラフである。
【００４３】
ここでは、図３に示すように、各々の本識別子ＩＤ＝１〜６によって示される移動対象物の事前確率の分布を示す事前確率分布Ｐ（ＩＤ）を例に説明する。この事前確率分布Ｐ（ＩＤ）は、仮識別子ｉｄには依存せず、各本識別子ＩＤによって示される移動対象物の出現がどの程度の確率で生起するかをモデル化したものである。ここで、例えば、移動対象物をサッカー等のチーム競技の選手とし、本識別子ＩＤ＝１〜４に対応する選手が先発出場選手で、本識別子ＩＤ＝５〜６に対応する選手が交代要員である場合に、図３に示すように、事前確率分布Ｐ（ＩＤ）において、先発出場選手に対応する本識別子ＩＤ＝１〜４には高い事前確率を、交代要員に対応する本識別子にはＩＤ＝５〜６には低い事前確率を予め与えることとしてもよい。
【００４４】
図１に戻って説明を続ける。確率分布予測手段１３は、追跡装置３から入力された移動対象物の位置情報と仮識別子と、事前確率分布メモリ１２に記憶された事前確率分布とに基づいて、確率分布メモリ１１に記憶された本識別子確率分布群Ｐ（ＩＤ｜ｉｄ）を、時刻の経過や移動対象物間の位置関係に応じて更新するものである。ここでは、確率分布予測手段１３は、タイマ１３１と、距離評価部１３２と、確率分布混合部１３３とを備える。
【００４５】
タイマ１３１は、時間経過を計測するものである。このタイマ１３１は、確率分布混合部１３３の経時確率分布混合部１３３ｂが処理を行ってから次に処理を行うまでの時間間隔を計測し、この時間間隔を経時確率分布混合部１３３ｂに出力する。タイマ１３１は、例えば、経時確率分布混合部１３３ｂが後記する本識別子確率分布Ｐ（ＩＤ｜ｉｄ＝１）〜Ｐ（ＩＤ｜ｉｄ＝Ｎ）の各々と事前確率分布とを混合する処理を行った時点から、次にこの処理を行う時点までの時間差を計測する。
【００４６】
距離評価部１３２は、追跡装置３から入力される移動対象物の仮識別子とそれらに対応する位置情報とから移動対象物間の距離を求めるものである。ここで求められた移動対象物間の距離を示す距離テーブルは、確率分布混合部１３３に出力される。
【００４７】
ここで、図４を参照（適宜図１参照）して、距離テーブルの例について説明する。図４は、距離評価部によって生成される距離テーブルの例を説明するための説明図、（ａ）は、距離評価部によって生成される距離テーブルの例を示す表、（ｂ）は、移動対象物の配置を模式的に示す模式図である。
【００４８】
ここでは、距離評価部１３２は、図４（ａ）に示すような距離テーブルＴを生成することとした。この例では、距離テーブルＴは、仮識別子ｉｄ＝１〜３の３個の移動対象物Ｏ１、Ｏ２、Ｏ３（図４（ｂ）参照）が存在する場合における、各々の仮識別子の移動対象物（基点）から、他の仮識別子の移動対象物（対象）までの距離を表形式で示す。例えば、距離テーブルＴは、仮識別子ｉｄ＝２の移動対象物Ｏ２と仮識別子ｉｄ＝３の移動対象物Ｏ３との間の距離として「４．３ｍ」を示す。
【００４９】
ここで、距離は、追跡用センサを基準にする座標系において定義されてもよいし、移動対象物の存在する実空間上における座標系で定義されてもよい。なお、追跡用センサを基準とする場合には、例えばカメラの画像平面上の直交２軸座標からなる画像座標系を定義することができる。このとき、例えば、画像上の見かけの距離を以って距離を定義することができる。一方、実空間上における座標系は、例えば、地面上の基準点を原点とする三次元座標を用いることができる。このとき、例えば、三次元空間での実距離によって距離を定義することができる。また、例えば、追跡用センサとしてカメラを用いる場合、このカメラによって撮像される画像平面上において距離を定義することとしてもよい。更に、例えば、実空間上における実際の距離をそのまま用いることとしてもよいし、あるいは実際の距離を線形変換又は非線形変換して用いることとしてもよい。また、距離測度も任意であり、例えば、ユークリッド距離、マハラノビス距離、市街地距離、チェス盤距離などが利用可能である。
【００５０】
図１に戻って説明を続ける。確率分布混合部１３３は、距離評価部１３２から入力された距離テーブルに基づいて、確率分布メモリ１１に記憶された複数の本識別子確率分布Ｐ（ＩＤ｜ｉｄ＝１）〜Ｐ（ＩＤ｜ｉｄ＝Ｎ）を混合し、また、タイマ１３１から入力された信号に基づいて、本識別子確率分布Ｐ（ＩＤ｜ｉｄ＝１）〜Ｐ（ＩＤ｜ｉｄ＝Ｎ）に事前確率分布メモリ１２に記憶された事前確率分布を混合するものである。ここでは、確率分布混合部１３３は、近接確率分布混合部１３３ａと、経時確率分布混合部１３３ｂと、切替部１３３ｃとを備える。ここで、確率分布メモリ１１から確率分布予測手段１３に入力される本識別子確率分布をＰｉｎ（ＩＤ｜ｉｄ）とし、確率分布予測手段１３によって混合され、確率分布メモリ１１に出力される本識別子確率分布をＰｏｕｔ（ＩＤ｜ｉｄ）とする。
【００５１】
近接確率分布混合部１３３ａは、距離評価部１３２から入力された距離テーブルに基づいて、確率分布メモリ１１に記憶された複数の本識別子確率分布Ｐｉｎ（ＩＤ｜ｉｄ）を混合するものである。ここで混合されて生成された本識別子確率分布Ｐｏｕｔ（ＩＤ｜ｉｄ）は、確率分布メモリ１１に記憶される。なお、ここでは、近接確率分布混合部１３３ａは、後記する切替部１３３ｃによって確率分布メモリ１１と近接確率分布混合部１３３ａとが接続されて本識別子確率分布群Ｐ（ＩＤ｜ｉｄ）を入出力できるようになった際に、混合の処理を行うこととした。
【００５２】
なお、距離テーブルに示される２つの移動対象物間の距離をｄ（ｉｄｆｒｏｍ，ｉｄｔｏ）とする。ここで、ｉｄｆｒｏｍは距離を測る基点となる移動対象物の仮識別子、ｉｄｔｏは距離を測る対象となる移動対象物の仮識別子とする。そして、仮識別子ｉｄｆｒｏｍ及び仮識別子ｉｄｔｏの移動対象物の位置をそれぞれｘ（ｉｄｆｒｏｍ）及びｘ（ｉｄｔｏ）とおくと、距離ｄ（ｉｄｆｒｏｍ，ｉｄｔｏ）は、以下の式（１）のように表される。
ｄ（ｉｄｆｒｏｍ，ｉｄｔｏ）＝‖ｘ（ｉｄｔｏ）−ｘ（ｉｄｆｒｏｍ）‖      …（１）
【００５３】
そして、近接確率分布混合部１３３ａは、距離評価部１３２から入力された距離テーブルに基づいて、ある仮識別子ｉｄの設定された移動対象物に距離ｄ（ｉｄ，ｉｄｔｏ）の近い移動対象物ほど大きな混合率で、本識別子確率分布Ｐｉｎ（ＩＤ｜ｉｄｔｏ）を混合する。ここでは、近接確率分布混合部１３３ａは、例えば、以下の式（２）に示すような演算によって混合することとした。近接確率分布混合部１３３ａは、式（２）の演算を、すべての仮識別子ｉｄについて実行する。
【００５４】
【数１】
2008257526.tif 000003
【００５５】
なお、式（２）におけるκ（ｄ）は、距離ｄに対するスカラー値の関数によって表される混合率であり、その値は非負とする。この混合率κ（ｄ）は、好ましくは、距離ｄに対して広義単調減少するものとする。これによって、近接確率分布混合部１３３ａは、近接した移動対象物ほど大きな影響を与えるよう、本識別子確率分布Ｐｉｎ（ＩＤ｜ｉｄ）を混合することができる。混合率κ（ｄ）としては、例えば、以下の式（３）に示すような指数関数や、以下の式（４）に示すような折線関数や、以下の式（５）に示すようなステップ関数を用いることができるが、式（３）〜式（５）以外の関数を混合率κ（ｄ）として用いても構わない。ここで、式（３）〜式（５）のＤ、ａ、Ｅは正の定数である。
κ（ｄ）＝ｅｘｐ（−ｄ／Ｄ）      …（３）
κ（ｄ）＝ｍａｘ｛１−ａｄ，０｝      …（４）
【００５６】
【数２】
2008257526.tif 000004
【００５７】
また、例えば、近接確率分布混合部１３３ａは、以下の式（６）のように、近接確率分布混合部１３３ａによる処理対象となる仮識別子ｉｄの本識別子確率分布Ｐｉｎ（ＩＤ｜ｉｄ）に対して、他の仮識別子ｉｄｔｏ（ｉｄｔｏ≠ｉｄ）の本識別子確率分布Ｐ（ＩＤ｜ｉｄｔｏ）を、距離ｄ（ｉｄ，ｉｄｔｏ）が小さいほど大きな混合率で混合するように演算することとしてもよい。ここで、ｓは非負の定数とする。
【００５８】
【数３】
2008257526.tif 000005
【００５９】
ここで、２つの移動対象物の距離が近いほど、追跡装置３によってある時点でこの２つの移動対象物に設定された２つ仮識別子ｉｄが、次の時点ではそれぞれ取り違えられて設定される確率が高くなる。そのため、近接確率分布混合部１３３ａは、距離ｄ（ｉｄ，ｉｄｔｏ）が小さいほど大きな混合率で本識別子確率分布Ｐ（ＩＤ｜ｉｄ＝１）〜Ｐ（ＩＤ｜ｉｄ＝Ｎ）を混合することで、確率分布メモリ１１に記憶された本識別子確率分布Ｐｉｎ（ＩＤ｜ｉｄ）を、移動対象物間の距離が近いために追跡装置３によって取り違えられる可能性も反映させたものに更新することができる。なお、特許請求の範囲に記載の近接確率分布混合手段は、距離評価部１３２と近接確率分布混合部１３３ａとに相当する。
【００６０】
なお、確率分布メモリ１１に記憶された本識別子確率分布の個数Ｎが０及び１の場合には、距離評価部１３２は距離テーブルを生成せず、近接確率分布混合部１３３ａも本識別子確率分布を混合しないこととする。
【００６１】
経時確率分布混合部（経時確率分布混合手段）１３３ｂは、タイマ１３１から時間間隔を入力し、この時間間隔に応じた混合比で、確率分布メモリ１１に記憶された本識別子確率分布Ｐｉｎ（ＩＤ｜ｉｄ）に、事前確率分布メモリ１２に記憶された事前確率分布を混合するものである。ここで混合されて生成された本識別子確率分布Ｐｏｕｔ（ＩＤ｜ｉｄ）は、確率分布メモリ１１に記憶される。なお、ここでは、経時確率分布混合部１３３ｂは、後記する切替部１３３ｃによって確率分布メモリ１１と経時確率分布混合部１３３ｂとが接続されて本識別子確率分布群Ｐ（ＩＤ｜ｉｄ）を入出力できるようになった際に、混合の処理を行うこととした。
【００６２】
ここで、タイマ１３１から入力される時間間隔をｔとする。この時間間隔ｔは、前回に経時確率分布混合部１３３ｂが混合の処理を行った時点から、経時確率分布混合部１３３ｂがタイマ１３１から当該時間間隔ｔを入力するまでの時間差、つまり、経時確率分布混合部１３３ｂによる前回の処理から今回の処理までの時間差である。
【００６３】
そして、経時確率分布混合部１３３ｂは、タイマ１３１から時間間隔ｔを入力して、この時間間隔ｔが大きいほど、本識別子確率分布Ｐｉｎ（ＩＤ｜ｉｄ）の割合（混合率）を小さく、事前確率分布Ｐ（ＩＤ）の割合を大きくして、本識別子確率分布Ｐｉｎ（ＩＤ｜ｉｄ）と事前確率分布Ｐ（ＩＤ）とを混合する。ここでは、経時確率分布混合部１３３ｂは、以下の式（７）に示すような演算によって、本識別子確率分布Ｐｉｎ（ＩＤ｜ｉｄ）と事前確率分布Ｐ（ＩＤ）との混合を行う。経時確率分布混合部１３３ｂは、式（７）の演算を、すべての仮識別子ｉｄに対して実行する。
Ｐｏｕｔ（ＩＤ｜ｉｄ）＝λ（ｔ）・Ｐｉｎ（ＩＤ｜ｉｄ）＋｛１−λ（ｔ）｝・Ｐ（ＩＤ）      …（７）
【００６４】
ここで、λ（ｔ）は、時間間隔ｔに対するスカラー値の関数で表される混合率であり、その値は０以上かつ１以下であるものとする。この混合率λ（ｔ）は、好ましくは、時間間隔ｔに対して広義単調減少するものとする。これによって、経時確率分布混合部１３３ｂは、時間間隔ｔが大きいほど事前確率分布Ｐ（ＩＤ）の影響が大きくなるように、本識別子確率分布Ｐｉｎ（ＩＤ｜ｉｄ）に事前確率分布Ｐ（ＩＤ）を混合することができる。混合率λ（ｔ）としては、例えば、以下の式（８）に示すような関数を用いることができるが、式（８）以外の関数を混合率λ（ｔ）として用いても構わない。ここで、式（８）のＴは時定数（忘却係数）であり、正の値を与えるものとする。
λ（ｔ）＝ｅｘｐ（−ｔ／Ｔ）      …（８）
【００６５】
このように、経時確率分布混合部１３３ｂは、本識別子確率分布Ｐｉｎ（ＩＤ｜ｉｄ）に対して、各々の移動対象物の出現がどの程度の確率で生起するか示す事前確率分布Ｐ（ＩＤ）を、時間間隔ｔが大きいほど影響が大きくなるように混合することで、時間間隔ｔに応じた忘却効果｛ｔ→∞でＰｏｕｔ（ＩＤ｜ｉｄ）→Ｐ（ＩＤ）｝を表現することができる。ここで、時間間隔ｔが大きくなるほど、つまり、経時確率分布混合部１３３ｂによる前回の処理からの時間が経過するほど、この前回の処理の結果が信頼できないものとなる。そのため、経時確率分布混合部１３３ｂは、この忘却効果によって、時間間隔ｔが大きくなるほど事前確率分布Ｐ（ＩＤ）の影響を大きく前回の処理の影響を小さくし、前回の処理の結果が信頼できなくなる過程を適切に表現することができる。
【００６６】
切替部１３３ｃは、本識別子確率分布群Ｐ（ＩＤ｜ｉｄ）の入出力を連動して同時に、近接確率分布混合部１３３ａ及び確率分布メモリ１１間、あるいは、経時確率分布混合部１３３ｂ及び確率分布メモリ１１間に切り替えるスイッチである。ここで、切替部１３３ｃは、本識別子確率分布群Ｐ（ＩＤ｜ｉｄ）の入出力をともに経時確率分布混合部１３３ｂに接続する状態と、本識別子確率分布群Ｐ（ＩＤ｜ｉｄ）の入出力をともに近接確率分布混合部１３３ａに接続する状態との２つの状態を有し、この２つの状態を切り替えることで、近接確率分布混合部１３３ａによる距離テーブルに基づく本識別子確率分布群Ｐ（ＩＤ｜ｉｄ）を混合と、経時確率分布混合部１３３ｂによる事前確率分布と本識別子確率分布群Ｐ（ＩＤ｜ｉｄ）との混合とを切り替える。
【００６７】
この切替部１３３ｃの切り替えは、手動により操作を行うこととしてもよいし、一定間隔あるいは可変の間隔で自動的に切り替えることとしてもよい。例えば、追跡装置３から位置情報と仮識別子とが入力されるたびに、切替部１３３ｃを２度切り替え、近接確率分布混合部１３３ａと経時確率分布混合部１３３ｂとにそれぞれ１回ずつ接続するようにすることができる。
【００６８】
なお、ここでは、確率分布混合部１３３が、近接確率分布混合部１３３ａ及び経時確率分布混合部１３３ｂを備え、複数の本識別子確率分布Ｐ（ＩＤ｜ｉｄ＝１）〜Ｐ（ＩＤ｜ｉｄ＝Ｎ）を混合するとともに、事前確率分布と各々の本識別子確率分布Ｐ（ＩＤ｜ｉｄ＝１）〜Ｐ（ＩＤ｜ｉｄ＝Ｎ）とを混合する場合について説明したが、確率分布混合部１３３が、近接確率分布混合部１３３ａのみを備え、複数の本識別子確率分布Ｐ（ＩＤ｜ｉｄ＝１）〜Ｐ（ＩＤ｜ｉｄ＝Ｎ）のみを混合することとしてもよい。このとき、識別情報推定装置１は事前確率分布メモリ１２を備えず、更に、確率分布予測手段１３はタイマ１３１を備えないこととしてもよい。また、確率分布混合部１３３が、経時確率分布混合部１３３ｂのみを備え、各々の本識別子確率分布Ｐ（ＩＤ｜ｉｄ＝１）〜Ｐ（ＩＤ｜ｉｄ＝Ｎ）に事前確率分布のみを混合することとしてもよい。このとき、確率分布予測手段１３は、距離評価部１３２を備えないこととしてもよい。
【００６９】
識別対象選定手段１４は、確率分布更新手段１６から切替トリガが入力された時点において、外部の識別装置５による識別対象となる移動対象物を選定するものである。ここで、識別対象選定手段１４は、追跡装置３から入力された位置情報と仮識別子ｉｄ、識別対象仮識別子メモリ１５に記憶された仮識別子ｉｄ、及び、確率分布メモリ１１に記憶された本識別子確率分布群Ｐ（ＩＤ｜ｉｄ）に基づいて、識別対象となる移動対象物を選定する。ここで選定された移動対象物の仮識別子は識別対象仮識別子メモリ１５に記憶され、この移動対象物の位置情報は識別装置５に出力される。
【００７０】
ここでは、識別対象選定手段１４は、追跡装置３から入力された仮識別子ｉｄに対応する複数の移動対象物の各々について、識別装置５の識別対象とすべきか否かを定量化した数値であるスコアを算出することとした。そして、このスコアが大きい移動対象物ほど、識別対象選定手段１４によって識別対象として選択されにくくならない（すなわち、選択されやすくなる、もしくは、選択されやすさが変化しない）こととした。以下、識別対象選定手段１４がスコアを算出して、識別対象となる移動対象物を選定する方法の一例について説明する。
【００７１】
ここで、識別対象選定手段１４は、外部の追跡装置３から入力された各々の仮識別子ｉｄに対応する位置情報に基づいてスコアＪｐｏｓ（ｉｄ）を算出し、また、本識別子確率分布群Ｐ（ＩＤ｜ｉｄ）の各分布形状に基づいてスコアＪｐｒｏｂ（ｉｄ）を算出して、これらのスコアＪｐｏｓ（ｉｄ）及びスコアＪｐｒｏｂ（ｉｄ）に基づいて最終的なスコア（総合スコア）Ｊ（ｉｄ）を算出することとした。そして、識別対象選定手段１４は、総合スコアＪ（ｉｄ）が最大となる仮識別子ｉｄｔａｒｇｅｔの設定された移動対象物を、識別装置５による識別対象とすることとした。
【００７２】
識別対象選定手段１４は、例えば、以下の式（９）に示すような関数μ（Ｊｐｏｓ，Ｊｐｒｏｂ）によって総合スコアＪ（ｉｄ）を算出する。
Ｊ（ｉｄ）＝μ（Ｊｐｏｓ（ｉｄ），Ｊｐｒｏｂ（ｉｄ））      …（９）
【００７３】
この関数μ（Ｊｐｏｓ，Ｊｐｒｏｂ）は、好ましくは、スコアＪｐｏｓに対して広義単調増加となり、かつ、スコアＪｐｒｏｂに対しても広義単調増加となる関数とする。識別対象選定手段１４は、このような関数μ（Ｊｐｏｓ，Ｊｐｒｏｂ）として、例えば、以下の式（１０）のように、スコアＪｐｏｓとスコアＪｐｒｏｂとを線形結合する関数を用いることができる。
μ（Ｊｐｏｓ（ｉｄ），Ｊｐｒｏｂ（ｉｄ））＝ｐ・Ｊｐｏｓ（ｉｄ）＋ｑ・Ｊｐｒｏｂ（ｉｄ）      …（１０）
【００７４】
なお、式（１０）において、ｐ及びｑは、いずれも非負の定数であり、かつ、同時に零となることはないものとする。なお、ｐ＝０のときには、識別対象選定手段１４は、スコアＪｐｏｓ（ｉｄ）の算出を省略することができる。一方、ｑ＝０のときには、識別対象選定手段１４は、スコアＪｐｒｏｂ（ｉｄ）の算出を省略することができる。
【００７５】
また、識別対象選定手段１４は、仮識別子ｉｄごとの位置情報に基づくスコアＪｐｏｓ（ｉｄ）を、例えば、識別装置５によって直前に識別された移動対象物の位置からの距離に応じて設定することができる。このようにすることで、例えば、識別装置５が識別対象を切り替える際の視点の移動量を小さくすることができるため、特に首振り機構を有する識別装置５においては首振り動作の所要時間を短縮することが可能となる。ここでは、識別対象選定手段１４は、識別装置５によって直前に識別された移動対象物の位置からの距離が近いほど、高いスコアＪｐｏｓ（ｉｄ）を設定することとした。
【００７６】
ここで、識別対象選定手段１４は、識別装置５によって直前に識別された移動対象物の仮識別子ｉｄｐｒｅｖを識別対象仮識別子メモリ１５から取得する。そして、識別対象選定手段１４は、識別対象仮識別子メモリ１５から取得した仮識別子ｉｄｐｒｅｖの移動対象物の位置と、追跡装置３から入力された各々の仮識別子ｉｄの移動対象物の位置との距離ｄ（ｉｄｐｒｅｖ，ｉｄ）を求める。なお、識別対象選定手段１４は、距離ｄ（ｉｄｐｒｅｖ，ｉｄ）を、前記の式（１）によって算出することができる。そして、識別対象選定手段１４は、以下の式（１１）によって、ｄ（ｉｄｐｒｅｖ，ｉｄ）に基づいてスコアＪｐｏｓを計算する。
Ｊｐｏｓ（ｉｄ）＝ρ（ｄ（ｉｄｐｒｅｖ，ｉｄ））      …（１１）
【００７７】
なお、式（１１）において、ρ（ｄ（ｉｄｐｒｅｖ，ｉｄ））は距離ｄ（ｉｄｐｒｅｖ，ｉｄ）に対するスカラー値の関数である。この関数ρ（ｄ（ｉｄｐｒｅｖ，ｉｄ））は、好ましくは、ｄ（ｉｄｐｒｅｖ，ｉｄ）＞０に対して広義単調減少の関数である。例えば、関数ρ（ｄ（ｉｄｐｒｅｖ，ｉｄ））として、以下の式（１２）に示すような指数関数を用いることができる。なお、Ｆは正の定数である。
ρ（ｄ（ｉｄｐｒｅｖ，ｉｄ））＝ｅｘｐ（−ｄ（ｉｄｐｒｅｖ，ｉｄ）／Ｆ）      …（１２）
【００７８】
また、例えばｄ（ｉｄｐｒｅｖ，ｉｄ）＝０のとき、すなわち仮識別子ｉｄｐｒｅｖの移動対象物の位置と完全に一致する仮識別子ｉｄの移動対象物を特別視して、ｄ（ｉｄｐｒｅｖ，ｉｄ）＞０の場合には関数ρ（ｄ（ｉｄｐｒｅｖ，ｉｄ））を式（１２）とし、ｄ（ｉｄｐｒｅｖ，ｉｄ）＝０の場合にはρ（０）＝ｒ（ｒは０以上の定数）として、識別対象選定手段１４がスコアＪｐｏｓ（ｉｄ）を算出することとしてもよい。このとき、定数ｒを０以上１未満の実数値とすることがより好ましく、これによって、仮識別子ｉｄｐｒｅｖの移動対象物の位置と完全に一致する仮識別子ｉｄが選ばれにくくなるようにすることができる。典型的には、定数ｒ＝０とすることが更に好ましい。
【００７９】
更に、識別対象選定手段１４は、仮識別子ｉｄごとの本識別子確率分布Ｐ（ＩＤ｜ｉｄ＝１）〜Ｐ（ＩＤ｜ｉｄ＝Ｎ）に基づくスコアＪｐｒｏｂ（ｉｄ）を、例えば、それらの形状の良し悪しを評価し、この評価結果に応じて設定することができる。ここで、良い形状とは、ひとつの本識別子ＩＤに対してのみ高い確率値をとり、他の本識別子ＩＤに対してはいずれも低い確率値となる場合である。よって、仮識別子ｉｄの本識別子確率分布Ｐ（ＩＤ｜ｉｄ＝１）〜Ｐ（ＩＤ｜ｉｄ＝Ｎ）のそれぞれについて、すべての本識別子ＩＤに対して確率値を計算し、その偏り具合を評価すればよい。ここでは、識別対象選定手段１４は、本識別子確率分布Ｐ（ＩＤ｜ｉｄ＝１）〜Ｐ（ＩＤ｜ｉｄ＝Ｎ）の形状の良いと評価される仮識別子に対して高いスコアＪｐｒｏｂ（ｉｄ）を設定することとした。
【００８０】
ここで、例えば、ある仮識別子ｉｄの本識別子確率分布において、最大確率値をＰ１（ｉｄ）、次点の確率値をＰ２（ｉｄ）とおく。そして、まず、識別対象選定手段１４は、最大確率値をとる本識別子ＩＤがひとつ存在する場合には、以下の式（１３）によって最大確率値Ｐ１（ｉｄ）及び次点の確率値Ｐ２（ｉｄ）を求める。
【００８１】
【数４】
2008257526.tif 000006
【００８２】
一方、最大確率値をとる本識別子ＩＤが複数存在する場合には、識別対象選定手段１４は、以下の式（１４）によって最大確率値Ｐ１（ｉｄ）（Ｐ２（ｉｄ））を求める。
【００８３】
【数５】
2008257526.tif 000007
【００８４】
続いて、識別対象選定手段１４は、式（１３）又は式（１４）によって求められた最大確率値Ｐ１（ｉｄ）と次点の確率値Ｐ２（ｉｄ）とに基づいて、以下の式（１５）によって、スコアＪｐｒｏｂ（ｉｄ）を算出する。
Ｊｐｒｏｂ（ｉｄ）＝ζ（Ｐ１（ｉｄ），Ｐ２（ｉｄ））      …（１５）
【００８５】
なお、式（１５）において、ζ（Ｐ１（ｉｄ），Ｐ２（ｉｄ））は、最大確率値Ｐ１（ｉｄ）と次点の確率値Ｐ２（ｉｄ）とに対するスカラー値の関数である。この関数ζ（Ｐ１，Ｐ２）は、好ましくは、最大確率値Ｐ１（ｉｄ）に対して広義単調増加、次点の確率値Ｐ２（ｉｄ）に対して広義単調減少の関数である。例えば、関数ζ（Ｐ１，Ｐ２）として、以下の式（１６）に示すような関数を用いることができる。
【００８６】
【数６】
2008257526.tif 000008
【００８７】
続いて、識別対象選定手段１４は、前記の式（９）によって、総合スコアＪ（ｉｄ）を求め、以下の式（１７）によって、Ｊ（ｉｄ）が最大となる仮識別子ｉｄｔａｒｇｅｔを求め、当該仮識別子ｉｄｔａｒｇｅｔの移動対象物を、識別装置５の識別対象として選定する。
【００８８】
【数７】
2008257526.tif 000009
【００８９】
なお、式（１７）において、総合スコアＪ（ｉｄ）が最大となる仮識別子が複数存在する場合には、識別対象選定手段１４は、それらのうちのいずれかひとつを選定する。この選定の方法としては、例えば、識別対象選定手段１４が、Ｊ（ｉｄ）を最大化する仮識別子のうちで最もその仮識別子の値が小さいもの（又は大きいもの）をひとつ選ぶこととしてもよい。そして、識別対象選定手段１４は、以上により選定された仮識別子ｉｄｔａｒｇｅｔを識別対象仮識別子メモリ１５に記憶し、更に、選定された仮識別子ｉｄｔａｒｇｅｔの位置ｘ（ｉｄｔａｒｇｅｔ）を求めて、外部に接続される識別装置５に出力する。
【００９０】
識別対象仮識別子メモリ１５は、識別対象選定手段１４から入力された仮識別子ｉｄ（ｉｄｔａｒｇｅｔ）を記憶するもので、半導体メモリ等の一般的な記憶手段である。ここで、識別対象仮識別子メモリ１５に記憶された仮識別子ｉｄは、識別対象選定手段１４及び確率分布更新手段１６によって取得されるとともに、識別対象選定手段１４によって新たな仮識別子が入力された場合には、その新たな仮識別子に書き換えられる。この識別対象仮識別子メモリ１５は、以前に記憶された仮識別子を常に出力するものであってもよいし、識別対象選定手段１４もしくは確率分布更新手段１６からの要求があったときに、その応答として以前に記憶された仮識別子を出力するものであってもよい。
【００９１】
確率分布更新手段（確率分布情報補正手段）１６は、識別対象仮識別子メモリ１５に記憶された仮識別子ｉｄと、外部に接続された識別装置５から入力された本識別子ＩＤとに基づいて、確率分布メモリ１１に記憶された当該仮識別子ｉｄに対応する本識別子確率分布（Ｐ（ＩＤ｜ｉｄ＝１）〜Ｐ（ＩＤ｜ｉｄ＝Ｎ））を更新するものである。ここで、確率分布更新手段１６は、本識別子確率分布（Ｐ（ＩＤ｜ｉｄ＝１）〜Ｐ（ＩＤ｜ｉｄ＝Ｎ））の形状の更新が終了した際に、切替トリガを識別対象選定手段１４に出力する。
【００９２】
ここでは、確率分布更新手段１６は、識別装置５から識別結果である本識別子ＩＤとともに、当該識別結果の信頼度（信頼度情報）を入力し、この本識別子ＩＤと、信頼度と、識別対象仮識別子メモリ１５に記憶された仮識別子ｉｄとに基づいて、確率分布メモリ１１に記憶された本識別子確率分布群Ｐ（ＩＤ｜ｉｄ）を更新することとした。以下、確率分布更新手段１６が、仮識別子ｉｄと識別装置５から入力された本識別子ＩＤとに基づいて、確率分布メモリ１１に記憶された本識別子確率分布群Ｐ（ＩＤ｜ｉｄ）を更新する方法の一例について説明する。なお、ここでは、確率分布更新手段１６が、識別対象仮識別子メモリ１５から仮識別子ｉｄｐｒｅｖを読み出し、また、識別装置５から本識別子ＩＤｒｅｃｏｇを入力して、本識別子確率分布Ｐ（ＩＤ｜ｉｄ＝ｉｄｐｒｅｖ）を補正した本識別子確率分布Ｐ（ＩＤ｜ｉｄ＝ｉｄｐｒｅｖ，ＩＤｒｅｃｏｇ）を生成して更新することとする。
【００９３】
まず、確率分布更新手段１６は、識別装置５から入力された本識別子ＩＤｒｅｃｏｇに基づいて、仮識別子ｉｄｐｒｅｖの設定された移動対象物が、各々の本識別子ＩＤに対応するとみなせる度合いを示す評価値を算出する。この評価値は、例えば、仮識別子ｉｄｐｒｅｖの設定された移動対象物が、各々の本識別子ＩＤに対応するとみなせる場合に、より大きい又は等しい値をとるように定義された値であり、ここでは尤度を用いることとした。そして、確率分布更新手段１６は、識別装置５から入力された本識別子ＩＤｒｅｃｏｇに基づいて、仮識別子ｉｄｐｒｅｖの設定された移動対象物に対する各々の本識別子ＩＤの尤度を示す尤度関数を生成する。この尤度関数は、好ましくは、本識別子ＩＤｒｅｃｏｇにおいて最大値をとる関数であり、例えば、以下の式（１８）に示すような尤度関数Ｌ（ＩＤ）とする。
【００９４】
【数８】
2008257526.tif 000010
【００９５】
ここで、Ｍは、全本識別子の数を示す。また、αは正の定数としてもよいし、識別装置５から入力される信頼度に応じて変化することとしてもよい。そして、確率分布更新手段１６が、αを識別装置５から入力された信頼度に応じて決定する場合には、例えば、以下の式（１９）のような信頼度ｓの関数γ（ｓ）としてもよい。この関数γ（ｓ）は、信頼度ｓが大きいほど信頼できることを示す場合には、ｓに対して広義単調増加とすることが好ましい。
α＝γ（ｓ）      …（１９）
【００９６】
更に、例えば、信頼度ｓが０以上１以下の実数値で、かつ信頼度ｓが大きいほど信頼できることを示す場合に、確率分布更新手段１６は、以下の式（２０）に示すような関数γ（ｓ）によってαを算出することとしてもよい。
【００９７】
【数９】
2008257526.tif 000011
【００９８】
また、識別装置５が、識別結果として複数の本識別子の候補ＩＤｒｅｃｏｇ（ｋ）を出力する場合には、確率分布更新手段１６は、以下の式（２１）によって、尤度関数Ｌ（ＩＤ）を算出することとしてもよい。ここで、ＩＤｒｅｃｏｇ（ｋ）は本識別子の第ｋ番目の候補を表し、ｋ∈｛１，２，……，Ｋ｝とする。また、Ｋは本識別子の候補の数であり、０以上の整数とする。また、βは正の定数としてもよいし、Ｋに応じて変化する数としてもよいし、識別装置５から入力される信頼度ｓに応じて変化する数としてもよい。
【００９９】
【数１０】
2008257526.tif 000012
【０１００】
更に、識別装置５が、識別結果として複数の本識別子の候補ＩＤｒｅｃｏｇ（ｋ）を各々の信頼度ｓ（ｋ）とともに出力する場合には、以下の式（２２）、あるいは、式（２３）に示すような関数δ（ｓ（ｋ））を用いて、尤度関数Ｌ（ＩＤ）を定めてもよい。ここで、ｓ（ｋ）は第ｋ番目の本識別子の候補ＩＤｒｅｃｏｇ（ｋ）の信頼度を表し、ｋ∈｛１，２，……，Ｋ｝とする。ここで、信頼度ｓ（ｋ）が大きいほど信頼できることを示す場合には、関数δ（ｓ（ｋ））は、信頼度ｓ（ｋ）に対して広義単調増加とすることが好ましい。
【０１０１】
【数１１】
2008257526.tif 000013
【０１０２】
【数１２】
2008257526.tif 000014
【０１０３】
そして、確率分布更新手段１６は、このようにして求められた尤度関数Ｌ（ＩＤ）と、確率分布メモリ１１に記憶された本識別子確率分布群Ｐ（ＩＤ｜ｉｄ）のうち仮識別子ｉｄｐｒｅｖに対応する本識別子確率分布Ｐ（ＩＤ｜ｉｄ＝ｉｄｐｒｅｖ）とに基づいて、以下の式（２４）によって、本識別子確率分布Ｐ（ＩＤ｜ｉｄ＝ｉｄｐｒｅｖ，ＩＤｒｅｃｏｇ）を算出する。
【０１０４】
【数１３】
2008257526.tif 000015
【０１０５】
こうして得られた新たな本識別子確率分布Ｐ（ＩＤ｜ｉｄ＝ｉｄｐｒｅｖ，ＩＤｒｅｃｏｇ）を、確率分布メモリ１１に記憶された本識別子確率分布群Ｐ（ＩＤ｜ｉｄ）のうち仮識別子ｉｄｐｒｅｖに対応する本識別子確率分布Ｐ（ＩＤ｜ｉｄ＝ｉｄｐｒｅｖ）に上書きして更新する。
【０１０６】
このように、確率分布更新手段１６は、識別装置５による識別結果から、当該識別装置５によって識別された移動対象物の仮識別子ｉｄｐｒｅｖに対応する本識別子確率分布Ｐ（ＩＤ｜ｉｄ＝ｉｄｐｒｅｖ）を更新することで、識別装置５による識別結果に応じて本識別子確率分布群Ｐ（ＩＤ｜ｉｄ）を逐次修正することができる。更に、確率分布更新手段１６は、識別装置５による識別結果の信頼度から、当該識別装置５によって識別された移動対象物が各々の本識別子に対応する移動対象物である尤度を算出して、この尤度に基づいて本識別子確率分布Ｐ（ＩＤ｜ｉｄ＝ｉｄｐｒｅｖ）を更新することで、識別装置５による識別結果の信頼度に応じて本識別子確率分布群Ｐ（ＩＤ｜ｉｄ）を、より厳密に修正することができる。
【０１０７】
本識別子推定手段（本識別情報推定手段）１７は、各々の仮識別子ｉｄについて、確率分布メモリ１１に記憶された本識別子確率分布Ｐ（ＩＤ｜ｉｄ＝１）〜Ｐ（ＩＤ｜ｉｄ＝Ｎ）において確率が最大となる本識別子ＩＤを求めることで、仮識別子ｉｄに対応する移動対象物に設定された本識別子ＩＤを推定するものである。ここで、本識別子推定手段１７は、例えば、追跡装置３から位置情報と仮識別子とが入力されるたびに、すべての仮識別子についての仮識別子ｉｄと本識別子ＩＤとの対を推定して、外部に出力する。
【０１０８】
ここでは、仮識別子ｉｄに対応する本識別子をＩＤｏｕｔ（ｉｄ）とする。この場合、本識別子推定手段１７は、本識別子ＩＤｏｕｔ（ｉｄ）は、以下の式（２５）によって算出することができる。
【０１０９】
【数１４】
2008257526.tif 000016
【０１１０】
なお、式（２５）において、Ｐ（ＩＤ｜ｉｄ）を最大化する本識別子ＩＤが複数存在する場合には、本識別子推定手段１７は、それらのすべてを同時もしくは逐次的に出力するようにしてもよいし、それらのうち、例えば、本識別子の数値が最小のものや、最大のもののような代表的な本識別子を１つ以上出力してもよいし、本識別子ＩＤｏｕｔ（ｉｄ）の演算結果が無効であるとして１つも出力しないようにしてもよい。
【０１１１】
以上のようにして、識別情報推定装置１は、仮識別子ｉｄごとの本識別子確率分布Ｐ（ＩＤ｜ｉｄ＝１）〜Ｐ（ＩＤ｜ｉｄ＝Ｎ）を、移動対象物間の距離や、時間推移や、識別装置５による識別結果に応じて修正し、この本識別子確率分布Ｐ（ＩＤ｜ｉｄ＝１）〜Ｐ（ＩＤ｜ｉｄ＝Ｎ）に基づいて、同一の移動対象物に設定された仮識別子と本識別子との対を推定することができる。また、識別情報推定装置１は、仮識別子ｉｄごとの本識別子確率分布Ｐ（ＩＤ｜ｉｄ＝１）〜Ｐ（ＩＤ｜ｉｄ＝Ｎ）を、識別装置５による識別結果に応じて確率・統計的に修正する際に、識別装置５による識別結果の信頼度に応じて修正することで、識別結果に内在する曖昧さを反映させて同一の移動対象物に設定された仮識別子と本識別子との対を推定することができる。
【０１１２】
更に、識別情報推定装置１は、識別装置５によって直前に識別された移動対象物の位置からの距離に応じて、次に識別装置５によって識別する移動対象物を設定することで、識別装置５が識別対象を切り替える際の視点の移動量を小さくでき、切り替えの所要時間を短縮することができる。また、識別情報推定装置１は、仮識別子ｉｄごとの本識別子確率分布Ｐ（ＩＤ｜ｉｄ＝１）〜Ｐ（ＩＤ｜ｉｄ＝Ｎ）の形状が、ひとつの本識別子ＩＤに対してのみ高い確率値をとり、他の本識別子ＩＤに対してはいずれも低い確率値となるものより、それぞれの本識別子ＩＤで確率値にあまり偏りのないものを優先して、識別装置５によって識別する移動対象物とすることで、本識別子確率分布Ｐ（ＩＤ｜ｉｄ＝１）〜Ｐ（ＩＤ｜ｉｄ＝Ｎ）からはどの本識別子ＩＤと対になるかが明確でない仮識別子ｉｄの移動対象物を優先して識別装置５によって識別させ、この識別結果に基づいて本識別子確率分布Ｐ（ＩＤ｜ｉｄ＝１）〜Ｐ（ＩＤ｜ｉｄ＝Ｎ）を修正して、より正確に仮識別子と本識別子との対を推定することができる。
【０１１３】
なお、識別情報推定装置１は、コンピュータにおいて各手段を各機能プログラムとして実現することも可能であり、各機能プログラムを結合して、識別情報推定プログラムとして動作させることも可能である。
【０１１４】
［識別情報推定装置の動作］
次に、図５及び図６を参照して、識別情報推定装置１の動作について説明する。図５は、本発明の識別情報推定装置が、識別装置の識別対象を選定して、識別装置の識別結果に基づいて本識別子確率分布群を更新する動作を示したフローチャートである。図６は、本発明の識別情報推定装置が、移動対象物の位置と事前確率とに基づいて本識別子確率分布群を更新して、仮識別子と本識別子との対を推定する動作を示したフローチャートである。
【０１１５】
まず、図５を参照（適宜図１参照）して、識別情報推定装置１が、識別装置５の識別対象を選定して、識別装置５の識別結果に基づいて本識別子確率分布群を更新する動作について説明する。なお、ここでは、識別情報推定装置１の識別対象選定手段１４及び確率分布更新手段１６のみの動作について説明する。
【０１１６】
識別情報推定装置１は、識別対象選定手段１４によって、追跡装置３から位置情報と仮識別子とを入力する（ステップＳ１１）。続いて、識別情報推定装置１は、確率分布更新手段１６によって、識別装置５から識別結果である本識別子ＩＤとその信頼度を入力したかを判断する（ステップＳ１２）。そして、入力していない場合（ステップＳ１２でＮｏ）には、ステップＳ１１に戻って、識別情報推定装置１が、識別対象選定手段１４によって、追跡装置３から位置情報と仮識別子とを入力する動作以降の動作を行う。
【０１１７】
また、入力した場合（ステップＳ１２でＹｅｓ）には、識別情報推定装置１は、確率分布更新手段１６によって、ステップＳ１２において識別装置５から入力された本識別子ＩＤと、識別対象仮識別子メモリ１５に記憶された仮識別子ｉｄとに基づいて、確率分布メモリ１１に記憶された本識別子確率分布群Ｐ（ＩＤ｜ｉｄ）のうち当該仮識別子ｉｄに対応する本識別子確率分布（Ｐ（ＩＤ｜ｉｄ＝１）〜Ｐ（ＩＤ｜ｉｄ＝Ｎ））を更新して、確率分布メモリ１１に記憶する（ステップＳ１３）。そして、識別情報推定装置１は、識別対象選定手段１４によって、ステップＳ１１において入力された位置情報と仮識別情報とに基づいて識別対象となる移動対象物を選定し、選定された移動対象物の仮識別子を識別対象仮識別子メモリ１５に記憶するとともに、当該仮識別子に対応する位置情報を識別装置５に出力し（ステップＳ１４）、ステップＳ１１に戻って、識別情報推定装置１は、識別対象選定手段１４によって、追跡装置３から次の位置情報と仮識別子とを入力する動作以降の動作を行う。なお、ステップＳ１３及びステップＳ１４において、確率分布更新手段１６及び識別対象選定手段１４によって識別対象仮識別子メモリ１５から読み出される仮識別子ｉｄは、ステップＳ１２において入力された識別結果に対応する、ひとつ前の識別対象を識別対象選定手段１４によって選定した際（ステップＳ１４）において記憶されたものである。
【０１１８】
以上の動作によって、識別情報推定装置１は、本識別子推定手段１７によって、識別装置５で識別された仮識別子ｉｄの本識別子確率分布（Ｐ（ＩＤ｜ｉｄ＝１）〜Ｐ（ＩＤ｜ｉｄ＝Ｎ））を識別結果に応じて修正し、識別対象選定手段１４によって、識別装置５の次の識別対象を選定することができる。
【０１１９】
次に、図６を参照（適宜図１参照）して、識別情報推定装置１が、移動対象物の位置と事前確率とに基づいて本識別子確率分布群を更新して、仮識別子と本識別子との対を推定する動作について説明する。なお、ここでは、識別情報推定装置１の確率分布予測手段１３及び本識別子推定手段１７のみの動作について説明する。更に、ここでは、追跡装置３から位置情報と仮識別子とが入力されるたびに切替部１３３ｃを２度切り替え、近接確率分布混合部１３３ａと経時確率分布混合部１３３ｂとにそれぞれ１回ずつ接続する場合について説明する。
【０１２０】
識別情報推定装置１は、確率分布予測手段１３の距離評価部１３２によって、追跡装置３から位置情報と仮識別子とを入力する（ステップＳ２１）。続いて、識別情報推定装置１は、確率分布予測手段１３の距離評価部１３２によって、ステップＳ２１に入力された位置情報と仮識別子とに基づいて、それぞれの移動対象物間の距離を算出し、当該距離を示す距離テーブルを生成する（ステップＳ２２）。
【０１２１】
更に、識別情報推定装置１は、確率分布予測手段１３の切替部１３３ｃによって、本識別子確率分布群Ｐ（ＩＤ｜ｉｄ）の入出力を、近接確率分布混合部１３３ａ及び確率分布メモリ１１間に切り替え、近接確率分布混合部１３３ａによって、ステップＳ２２において生成された距離テーブルに基づいて、確率分布メモリ１１に記憶された複数の本識別子確率分布Ｐｉｎ（ＩＤ｜ｉｄ）を混合して、確率分布メモリ１１に記憶する（ステップＳ２３）。
【０１２２】
続いて、識別情報推定装置１は、確率分布予測手段１３の切替部１３３ｃによって、本識別子確率分布群Ｐ（ＩＤ｜ｉｄ）の入出力を、経時確率分布混合部１３３ｂ及び確率分布メモリ１１間に切り替え、経時確率分布混合部１３３ｂによって、タイマ１３１からの時間間隔に応じた混合比で、確率分布メモリ１１に記憶された本識別子確率分布Ｐｉｎ（ＩＤ｜ｉｄ）と、事前確率分布メモリ１２に記憶された事前確率分布とを混合して、確率分布メモリ１１に記憶する（ステップＳ２４）。
【０１２３】
そして、識別情報推定装置１は、本識別子推定手段１７によって、ステップＳ２４又はステップＳ１３（図５参照）において確率分布メモリ１１に記憶された本識別子確率分布群Ｐ（ＩＤ｜ｉｄ）に基づいて、同一の移動対象物に設定された仮識別子ｉｄと本識別子ＩＤとの対を推定し（ステップＳ２５）、ステップＳ２１に戻って、確率分布予測手段１３の距離評価部１３２によって、追跡装置３から次の位置情報と仮識別子とを入力する動作以降の動作を行う。
【０１２４】
以上の動作によって、識別情報推定装置１は、確率分布予測手段１３によって、確率分布メモリ１１に記憶された本識別子確率分布群Ｐ（ＩＤ｜ｉｄ）を、移動対象物間の距離と時間推移とに基づいて修正し、本識別子推定手段１７によって、確率分布予測手段１３もしくは図５に示す動作によって確率分布更新手段１６によって修正された本識別子確率分布群Ｐ（ＩＤ｜ｉｄ）に基づいて、同一の移動対象物に設定された仮識別子と本識別子との対を推定することができる。
【図面の簡単な説明】
【０１２５】
【図１】本発明における識別情報推定装置の構成を模式的に示した構成図である。
【図２】本発明における識別情報推定装置の確率分布メモリに記憶される本識別子確率分布の例を説明するための説明図、（ａ）は、確率分布メモリに記憶される本識別子確率分布の例を示す表、（ｂ）〜（ｅ）は、それぞれ仮識別子が１〜４のときの（ａ）の本識別子確率分布を示すグラフである。
【図３】本発明における識別情報推定装置の事前確率分布メモリに記憶される事前確率分布の例を説明するための説明図、（ａ）は、事前確率分布メモリに記憶される事前確率分布の例を示す表、（ｂ）は、（ａ）の事前確率分布Ｐ（ＩＤ）を示すグラフである。
【図４】本発明における識別情報推定装置の距離評価部によって生成される距離テーブルの例を説明するための説明図、（ａ）は、距離評価部によって生成される距離テーブルの例を示す表、（ｂ）は、移動対象物の配置を模式的に示す模式図である。
【図５】本発明の識別情報推定装置が、識別装置の識別対象を選定して、識別装置の識別結果に基づいて本識別子確率分布群を更新する動作を示したフローチャートである。
【図６】本発明の識別情報推定装置が、移動対象物の位置と事前確率とに基づいて本識別子確率分布群を更新して、仮識別子と本識別子との対を推定する動作を示したフローチャートである。
【符号の説明】
【０１２６】
１      識別情報推定装置
３      追跡装置
５      識別装置
１１    確率分布メモリ（確率分布情報記憶手段、確率分布情報記憶装置）
１２    事前確率分布メモリ（出現確率分布情報記憶手段、出現確率分布情報記憶装置）
１３    確率分布予測手段
１３１  タイマ
１３２  距離評価部
１３３  確率分布混合部
１３３ａ  近接確率分布混合部
１３３ｂ  経時確率分布混合部（経時確率分布混合手段）
１３３ｃ  切替部
１４    識別対象選定手段
１５    識別対象仮識別子メモリ
１６    確率分布更新手段（確率分布情報補正手段）
１７    本識別子推定手段
【図１】
2008257526.tif 000017
【図２】
2008257526.tif 000018
【図３】
2008257526.tif 000019
【図４】
2008257526.tif 000020
【図５】
2008257526.tif 000021
【図６】
2008257526.tif 000022